(57)【特許請求の範囲】
【請求項１】
少なくともインキ収容室と塗布先とを備える塗布具本体を、操作によって前進後退させて外装体の先端開口部より塗布先を出没可能となすと共に、外装体の先端開口部よりの塗布先の突出状態及び没入状態を維持する係止機構を備え、更に、塗布具本体の前進、後退に連動して、外装体の先端開口部を開放、閉塞する蓋体を備えた出没式塗布具において、前記塗布先の突出操作に際して、前記蓋体が外装体の先端開口部を開放する前に、塗布先の突出操作に対する操作負荷を増大させる乗り越え機構を備えた出没式塗布具。
【請求項２】
少なくともインキ収容室と塗布先とを備える塗布具本体を、操作によって前進後退させて外装体の先端開口部より塗布先を出没可能となすと共に、外装体の先端開口部よりの塗布先の突出状態及び没入状態を維持する係止機構を備え、更に、塗布具本体の前進に連動して、外装体の先端開口部を開放する蓋体を備えた出没式塗布具において、前記塗布先の突出操作に際して、前記蓋体が外装体の先端開口部を開放する前に、塗布先の突出操作に対する操作負荷を増大させる乗り越え機構を備えた出没式塗布具であって、前記塗布具本体の先端近傍に外方突起を形成すると共に、その外方突起と当接する曲面状の作用部を前記蓋体に形成し、その蓋体を前記塗布具本体の前進に連動する回転によって先端開口部を開放するものとし、前記塗布先の突出操作に対する操作負荷を増大させる乗り越え機構が、前記作用部に蓋体の回転中心から遠い位置にある第１壁面とこれに連続した近い位置にある第２壁面とを有し、前記塗布具本体又は中継部材の前進と伴に蓋体の回転方向に順じて、蓋体と塗布具本体又は中継部材との接触点が、遠い位置にある第１壁面から近い位置にある第２壁面へと乗り越えすることによって移動し、これによって、蓋体と塗布具本体又は中継部材との接触点と蓋体の回転中心との距離が短くなるようになしたものである出没式塗布具。
【請求項３】
少なくともインキ収容室と塗布先とを備える塗布具本体を、操作によって前進後退させて外装体の先端開口部より塗布先を出没可能となすと共に、外装体の先端開口部よりの塗布先の突出状態及び没入状態を維持する係止機構を備え、更に、塗布具本体の前進に連動して、外装体の先端開口部を開放する蓋体を備えた出没式塗布具において、前記塗布先の突出操作に際して、前記蓋体が外装体の先端開口部を開放する前に、塗布先の突出操作に対する操作負荷を増大させる乗り越え機構を備えた出没式塗布具であって、前記塗布具本体の先端近傍に外方突起を形成すると共に、その外方突起と当接する曲面状の作用部を前記蓋体に形成し、その蓋体を前記塗布具本体の前進に連動する回転によって先端開口部を開放するものとし、前記塗布先の突出操作に対する操作負荷を増大させる乗り越え機構が、外装体の先端開口部が蓋体によって閉塞されている状態で、蓋体の回転中心と、蓋体と塗布具本体又は中継部材との接点とを結ぶ直線と、蓋体と塗布具本体又は中継部材との接点における接線とのなす角のうち、蓋体の回転方向に開く角度が、蓋体の回転に伴って小さくなるようにしたものである出没式塗布具。
【発明の詳細な説明】
【技術分野】
【０００１】
本発明は、少なくともインキ収容室と塗布先とを備える塗布具本体を、操作によって前進後退させて外装体の先端開口部より塗布先を出没可能となすと共に、外装体の先端開口部よりの塗布先の突出状態及び没入状態を維持する係止機構とを備え、更に、塗布具本体の前進、後退に連動して、外装体の先端開口部を開放、閉塞する蓋体を備えた出没式塗布具に関するものである。
【背景技術】
【０００２】
塗布具の外装体後端から突出したノック体を押すなどの操作をして、インキ収容室と塗布先とを備えた塗布具本体を前進後退させて外装体の先端開口部から出没させ、これに連動して外装体の先端開口部を閉塞可能な蓋体を動かして、塗布具本体の前進にあわせて開放して塗布先を突出し、塗布具本体の後退、塗布先の没入にあわせて開口部を閉塞するものが知られている。例えば、特開２００６−０４３８８７号公報（特許文献１）には、押圧操作する部材と外装体とが係合する係止機構を有すると共に、塗布先が通る際に開放する弾性体のスリットを外装体の開口部分に配置したものが示されている。また、特開２００５−２４６９７１号公報（特許文献２）には、押圧操作する部材と外装体とが係合する係止機構を有すると共に、塗布先を備える塗布具本体が有する突起が、回転可能な蓋部材の有する溝に係合しつつ移動して、塗布具本体の前進後退運動を蓋体の、外装体の開口部を開放・閉塞する回転運動に変換するようなして、塗布先の繰り出し動作に伴って蓋体が開閉するものが開示されている。
【特許文献１】特開２００６−０４３８８７号公報
【特許文献２】特開２００５−２４６９７１号公報
【発明の開示】
【発明が解決しようとする課題】
【０００３】
塗布先の出没操作に伴って外装体の開口部を開閉する出没式塗布具では、製品出荷時から使用者が使用するまでの間、或いは、不使用時にポケット等に差し込んだ際に、意図しないノック操作が行われてしまうこともあり、ノック操作に連動して蓋体が動くことにより先端開口部が開口され、塗布先が乾燥してしまうという危険性があった。押圧部材の操作を抗しているものが、実質的に塗布具本体を後退付勢しているコイルスプリングと、これに加えて弾性体に形成されたスリットの閉鎖する力や蓋体の回転する力、即ち、蓋体の閉鎖力とのみであるものでは、上述の不意の塗布先の突出を防止することは考えていない。
また、不意の外装体開口部の開口は、塗布具本体の塗布先からのインキ乾燥を招き、必要な時にインキが吐出されないことも起こり得る。
【課題を解決するための手段】
【０００４】
即ち、本発明は、少なくともインキ収容室と塗布先とを備える塗布具本体を、操作によって前進後退させて外装体の先端開口部より塗布先を出没可能となすと共に、外装体の先端開口部よりの塗布先の突出状態及び没入状態を維持する係止機構を備え、更に、塗布具本体の前進、後退に連動して、外装体の先端開口部を開放、閉塞する蓋体を備えた出没式塗布具において、前記塗布先の突出操作に際して、前記蓋体が外装体の先端開口部を開放する前に、塗布先の突出操作に対する操作負荷を増大させる乗り越え機構を備えた出没式塗布具を第１の要旨とし、少なくともインキ収容室と塗布先とを備える塗布具本体を、操作によって前進後退させて外装体の先端開口部より塗布先を出没可能となすと共に、外装体の先端開口部よりの塗布先の突出状態及び没入状態を維持する係止機構を備え、更に、塗布具本体の前進に連動して、外装体の先端開口部を開放する蓋体を備えた出没式塗布具において、前記塗布先の突出操作に際して、前記蓋体が外装体の先端開口部を開放する前に、塗布先の突出操作に対する操作負荷を増大させる乗り越え機構を備えた出没式塗布具であって、前記塗布具本体の先端近傍に外方突起を形成すると共に、その外方突起と当接する曲面状の作用部を前記蓋体に形成し、その蓋体を前記塗布具本体の前進に連動する回転によって先端開口部を開放するものとし、前記塗布先の突出操作に対する操作負荷を増大させる乗り越え機構が、前記作用部に蓋体の回転中心から遠い位置にある第１壁面とこれに連続した近い位置にある第２壁面とを有し、前記塗布具本体又は中継部材の前進と伴に蓋体の回転方向に順じて、蓋体と塗布具本体又は中継部材との接触点が、遠い位置にある第１壁面から近い位置にある第２壁面へと乗り越えすることによって移動し、これによって、蓋体と塗布具本体又は中継部材との接触点と蓋体の回転中心との距離が短くなるようになしたものである出没式塗布具を第２の要旨とし、少なくともインキ収容室と塗布先とを備える塗布具本体を、操作によって前進後退させて外装体の先端開口部より塗布先を出没可能となすと共に、外装体の先端開口部よりの塗布先の突出状態及び没入状態を維持する係止機構を備え、更に、塗布具本体の前進に連動して、外装体の先端開口部を開放する蓋体を備えた出没式塗布具において、前記塗布先の突出操作に際して、前記蓋体が外装体の先端開口部を開放する前に、塗布先の突出操作に対する操作負荷を増大させる乗り越え機構を備えた出没式塗布具であって、前記塗布具本体の先端近傍に外方突起を形成すると共に、その外方突起と当接する曲面状の作用部を前記蓋体に形成し、その蓋体を前記塗布具本体の前進に連動する回転によって先端開口部を開放するものとし、前記塗布先の突出操作に対する操作負荷を増大させる乗り越え機構が、外装体の先端開口部が蓋体によって閉塞されている状態で、蓋体の回転中心と、蓋体と塗布具本体又は中継部材との接点とを結ぶ直線と、蓋体と塗布具本体又は中継部材との接点における接線とのなす角のうち、蓋体の回転方向に開く角度が、蓋体の回転に伴って小さくなるようにしたものである出没式塗布具を第３の要旨とする。
【発明の効果】
【０００５】
塗布先の突出操作に際して、蓋体が外装体の先端開口部を開放する前に、塗布先の突出操作に対する操作負荷を増大させる乗り越え機構を、操作部材、塗布具本体、蓋体の少なくともいずれかに設けることで、先端開口部が開放するまでに大きな力を有する事となる。よって製品出荷時から使用者が使用するまでの間、或いは、不使用時にポケット等に差し込んだ際の、意図しないノック操作による先端開口部の開口を防ぎ、塗布先が乾燥してしまうことを極力抑制するものである。
蓋体が回転することによって外装体の開口部を開閉するものである場合には、押圧操作の直線的前後動を回転運動に変換することを利用することができる。即ち、直線運動を回転運動に変換するに際しては、トルクが低下する機構とすればよく、それは、蓋体に設定した作用点と蓋体の回転中心との距離を変化させるか、作用点に注力される力が実質的に分力として作用するために、分力の発生を作用点に接する壁面の角度を変化させることによって、つまり、蓋体の回転方向に順じて、蓋体と塗布具本体又は中継部材との接触点が、遠い位置にある壁面から近い位置にある壁面に移動することによって、蓋体の回転に伴って、蓋体と軸との接触点と蓋体の回転中心との距離が短くなるようになしたり、蓋体の回転中心と、蓋体と塗布具本体又は中継部材との接点とを結ぶ直線と、塗布具本体又は中継部材の接触壁とのなす角のうち、蓋の回転方向に開く角度が、蓋の回転に伴って小さくなるようになすことで、トルクが低下する機構とすることができる。
よって、新たに乗り越え機構となる特別な部材を使用せずに、目的とする誤作動防止を達成できると共に、部材の衝撃を回転運動に変換する為、衝撃感が和らぎ、心地よいノック感が得られるものである。
【発明を実施するための最良の形態】
【０００６】
塗布具本体は、先端に塗布先を備え、内部にインキを収容室を備える部材である。塗布先としては、ボールペン、繊維収束体、ウレタンなどの多孔質体、連通孔を有する合成樹脂製塗布先など適宜使用可能である。また、インキの収容方法は、繊維収束体などのインキ吸蔵体に浸透させたり、インキ吸蔵体などを使用せずに、本体内に直接自由状態で収容してもよい。使用されるインキも、着色剤として染料及び／又は顔料が使用でき、主媒体も水、有機溶剤が適宜使用できる。
【０００７】
塗布具本体を動かすノック操作は、出没式塗布具の後端に配置したノック部材や、側部にスライド機構を設けるなど、公知の方法を種々採用できるものである。また、部材間にコイルスプリングなどの弾撥部材を配置して、操作による駆動や、蓋部材の密閉性の一助とすることもできる。
【０００８】
塗布先の突出状態及び没入状態を維持する係止機構は、部材の弾性力を利用したボタン式の係止機構や、カム部材を用いて部材を軸に対して周方向に回転させ係止させるカム機構など、公知の方法を種々採用できるものである。
【０００９】
外装体の先端開口部を開放、閉塞する蓋体は、前述の塗布具本体の移動と連動して先端開口部を開放、閉塞する。即ち、塗布具本体が前進するときには先端開口部を開放して塗布先が突出可能となし、塗布具本体が後退した状態で先端開口部を閉塞する。
蓋体は、蝶番によって外側又は内側に開く扉であってもよいし、部材の中心部分を軸にして回転することによって、外装体の孔に壁部分を当てたり蓋部材の穴を合わせたりするシャッター式に開閉するものであってもよい。先端開口部の内側から開口部の内縁に接して密閉する構造であると、温度変化などによって、蓋体が閉まっている状態で密閉室内の内圧が高まった際にも不意に蓋体が開放してしまうことを抑制するものとなる。更に、部材の中心部分を軸にして回転するものとすると、回転半径を極小とすることができるので、塗布具本体を細身のものとする際にも都合がよい。
【００１０】
塗布先の突出操作に対する操作負荷を増大させる乗り越え部は、係止機構の通過部を細めて負荷をかける方法や、係止機構の通過部に大きな摩擦をかけるようにゴム状エラストマー等を用いる方法、また、塗布具本体にリブ等を設け乗り越え部とする方法や、スリット状蓋のスリット部を逆止弁にする方法等、先端開口部が開口するまでに負荷が増大する構造であれば適宜採用できる。
【実施例】
【００１１】
図１に一例の縦断面図を示す。
外装体１内に、塗布具本体２を前後動自在に配置している。塗布具本体２は、先端に塗布先３を備え、内部の後方に塗布液を吸蔵させた吸蔵体４を収容し、塗布先３の後端は、吸蔵体４の先端部分に挿入状に接続している。また、外装体１の先端には、塗布先３が出没可能な先端開口部１ａが設けられ、外装体１の後端には、塗布具本体２に連接されたノック部材５が摺動可能な後端開口部１ｂに設けられている。
塗布具本体２は、外形として塗布先３を収容する部分である前側の小径部２ａと吸蔵体４を収容する部分として大径部２ｂとを有し、両者の間を肩部２ｃとしている。この肩部２ｃに一端を当接させて、小径部を覆うようにコイルスプリング６が配置され、塗布具本体２はコイルスプリング６の弾性力によって後方に付勢されている。
外装体１の先端開口部１ａの近傍の内部には、ゴム状弾性部材からなる蓋体７が収容されている。この蓋体７は先端にスリット状の開口部７ａをもち、塗布具本体２の後退時には材料の弾性力によって開口部７ａは気密に閉塞され、塗布具本体２の前進に伴い、塗布先３によって押し開かれる。また、蓋体７の後方にはガイド筒８が設置され、その後方にシール筒９が、外装体１の内壁と塗布具本体２の外壁に周状当接し、蓋体７とガイド筒８とシール筒９によって、塗布先収納時に塗布先３を気密に収容する。
シール筒９の肩部９ａに、前述のコイルスプリング６の一端が当接し、蓋体７とガイド筒８とシール筒９とは、コイルスプリング６の弾性力によって前方に付勢されている。
外装体１の後方には、クリップ部１ｃが形成され、クリップ部１ｃにはクリップ突起１ｄと係止部１ｅが形成されている。また、塗布具本体２の大径部２ｂの側面には係止突起２ｄが設けられ、外装体１の側面に設けられた窓穴１ｆから外に突出している。
コイルスプリング６の弾性力に抗して、ノック部材５を押圧操作すると、塗布具本体２の係止突起２ｄが外装体１の窓穴１ｆ内を前方方向へ移動する。この時、係止突起２ｄはクリップ突起１ｄに当接し、クリップ部１ｃを押し広げ前進する。更にノック部材５を押圧操作することによって、塗布具本体２の塗布先３が蓋体７のスリット状の開口部７ａを押し広げ、外装体１の先端開口部１ａより塗布先３及び塗布具本体２の小径部２ａの先端部分を突出する。即ち、係止突起２ｄがクリップ部１ｃを押し広げる際に操作負荷が増大することとなり、これが本例における乗り越え機構となる。更にノック部材５を押圧操作することによって、係止突起２ｄがクリップ部１ｃの係止部１ｅを乗り越え、塗布具本体２が先端開口部１ａより塗布先３を突出させた状態で係止することとなる。クリップ部１ｃを広げ、係止部１ｅから係止突起２ｄを解除することによって、係止が外れ、コイルスプリング６の弾性力によって、塗布具本体２とノック部材５とは後退する。蓋体７は部材の弾性力によってスリット状の開口部７ａを閉塞し、塗布先３は気密に収納される。
【００１２】
図２〜図５に他の一例を示す。
塗布先３と吸蔵体４とを備えた塗布具本体２をコイルスプリング６にて後方付勢しつつ外装体１に収容している点や、外装体１の後端よりノック部材５を突出させて操作部分とし、ノック部材５の移動が塗布具本体２に伝えられ、それが蓋体を動かして外装体１の先端開口部を開閉する点などは前述の一例と同様である。前述の例と異なるのは、塗布具本体２を係止させる構造及び蓋体１０が回転することによって外装体１の先端開口部１ａを開閉するものである点であり、その蓋体１０の回転運動における回転トルクの低下過程を、塗布先３の突出操作に対する操作負荷を増大させる乗り越え機構として利用したものである。
【００１３】
外装体１の先端開口部１ａの近傍の内部には、蓋体１０が収容されているが、本例の蓋体１０は、蓋体１０の部品単体を示した斜視図である図３に示すように、外装体１の先端開口部１ａの縁に周状当接して閉塞状態を形成する遮壁部１０ａと外装体１内に固定されて回転軸となる外方突起１０ｂ及び塗布具本体２から操作力を受容する作用部１０ｃとを備える側壁１０ｄとからなっており、遮壁部１０ａと側壁１０ｄとの間は、塗布先３の通過する空間部分となっている。
【００１４】
このような蓋体１０を配置した図２のＩ部拡大図を図４に、塗布具本体２の部品単体の先端を示した斜視図を図５に示すが、図４において、内部構造をわかり易くするために塗布先３及び塗布先３を囲う部分の外壁に形成した蓋体１０と当接する外方突起２ｅは、その外形のみを破線で示してある。
蓋体１０の側壁１０ｄの内側には、内方に突出した壁部分としての作用部１０ｃが形成されており、外方突起２ｅを、当該作用部１０ｃに当接して力を付与する部分としている。蓋体１０の作用部１０ｃは、蓋体１０の回転に伴って、塗布具本体２の外方突起２ｅが当接する部分が変化する曲面状の壁となっており、その壁に沿って作用点が移動するので、蓋体１０と塗布具本体２との接触点が、蓋体１０の回転方向に順じて、遠い位置にある第１壁面１０ｃａから近い位置にある第２壁面１０ｃｂに移動し、蓋体１０が外装体１の先端開口部１ａを開放する前に作用点と、蓋体１０の回転中心との距離が順次短くなる。回転トルクは、回転軸から作用点までの距離と力との積であるので、作用点と回転中心との距離が短くなれば回転トルクは低下し、必要な荷重が増大することになるので、蓋体１０が回転して、外装体１の先端開口部１ａを解放する前に、操作荷重が増大することとなり、誤動作の抑制が達成される。
【００１５】
また、塗布具本体２を係止させる構造は、塗布具本体２の前進に伴い、ノック部材５の係止突起５ａが外装体１の窓穴１ｆに入り込み、塗布先３を先端開口部１ａから突出させた状態で係止するものである。係止状態でクリップ部１ｃの係止解除突起１ｇを押圧することで、係止突起５ａが外装体１内に戻り、コイルスプリング６の弾性力によって塗布具本体２は後方に戻る。
【００１６】
図６に他の一例を示す。図４に相当する図として示してあるが、前例のように作用点と回転中心との距離を短くすることによって回転トルクを低下させるものではなく、作用点に注力される力の分力の発生を作用点に接する壁面の角度を変化させることによって回転トルクを低下させるものの一例である。
即ち、蓋体１０の側壁１０ｄの内側に内方突起として作用部１０ｃを形成し、これに当接する部分として、塗布具本体２の塗布先（本例では図示せず）を囲う部分の先端壁に、曲率の異なる二つの作用壁（曲率の小さい作用壁２ｆ、曲率の大きい作用壁２ｇ）を連続して形成し、蓋体１０が外装体１の先端開口部１ａを開放する前であって作用点が曲率の小さい作用壁２ｆから曲率の大きい作用壁２ｇに移動する際に作用点から付与される力の分力を変更し、回転トルクに影響する力の分力を変化させている。ここでは、曲率の異なる作用壁の角度は、作用点と曲率によって決まる接線Ａと回転軸と作用点とを通る仮想線Ｂとがなす角のうち、蓋体８の回転方向に開く角度θを指している。
【００１７】
図７に更に他の一例を示す。
前述の例のような、作用点と、蓋体１０の回転中心との距離が順次短くなるようにしたことと、塗布具本体２の作用壁の角度（正確には接線角度θ）を変化させることとを併せて備えるものとした一例である。それぞれの構造の力学的な不利を補いえるものであり、回転トルクを低下させて乗り越え機構とする点は変わらないが、中でも極力荷重を少なくて済むものとできるものである。
即ち、蓋体１０の側壁１０ｄの内側には、内方に突出した壁部分としての作用部１０ｃが形成している点は、図４に示した一例と同様であるが、その形状を工夫すると共に、塗布具本体２にも、作用点の接線角度（θ）が変化する曲面状の作用壁２ｆを形成し、蓋体１０の回転に伴って、作用点と回転軸との距離も変化させつつ、作用点の接線角度（θ）をも変化するようになしている。
このように、蓋体１０と塗布具本体２の両方にて操作荷重の増大部を作ることで、各々の部材にかかる負荷が小さくなり、部材の破損を未然に防止することが出来る。
【図面の簡単な説明】
【００１８】
【図１】一例の縦断面図。
【図２】他の一例の縦断面図。
【図３】部品の斜視図。
【図４】図２のＩ部拡大図。
【図５】部品の一部を示した斜視図。
【図６】他の一例の部分断面図。
【図７】更に他の一例の部分断面図。
【符号の説明】
【００１９】
１      外装体
１ａ    先端開口部
１ｂ    後端開口部
１ｃ    クリップ部
１ｄ    クリップ突起
１ｅ    係止部
１ｆ    窓穴
１ｇ    係止解除突起
２      塗布具本体
２ａ    小径部
２ｂ    大径部
２ｃ    肩部
２ｄ    係止突起
２ｅ    外方突起
２ｆ    曲率の小さい作用壁
２ｇ    曲率の大きい作用壁
３      塗布先
４      吸蔵体
５      ノック部材
６      コイルスプリング
７      蓋体
７ａ    開口部
８      ガイド筒
９      シール筒
９ａ    肩部
１０    蓋体
１０ａ  遮壁部
１０ｂ  外方突起
１０ｃ  作用部
１０ｄ  側壁
【図２】
0005365013.tif 000002
【図４】
0005365013.tif 000003
【図１】
0005365013.tif 000004
【図３】
0005365013.tif 000005
【図５】
0005365013.tif 000006
【図６】
0005365013.tif 000007
【図７】
0005365013.tif 000008